(57)【要約】【課題】あらゆる大きさや形状のベッドにも対応して、簡単に、かつ安全・確実に天蓋レースを所定の位置にセットすることができるベッド用の天蓋装置を提供する。【解決手段】。ポール本体１の先端部をＬ字状に屈曲させて垂直部１ａと水平部１ｂを形成し、この水平部１ｂの前方部に天蓋レース２を吊り下げ自在とした天蓋装置であって、前記垂直部１ａの基部にポール自立用のベース部４を形成するとともに、該ベース部４にベッド１０の脚部１１を載置可能なプレート部５を設け、このプレート部５にベッドの脚部１１を載せてベース部４を固定するようにした。また、前記のポール本体１の垂直部１ａと水平部１ｂは、複数個のパイプを連結して長さ調整可能な１本のポールとすることが好ましい。なお、天蓋レース２は、リング状の天蓋枠８に下部を開放状態としたレース様のネット体９を垂らしたものとすることができる。【選択図】図１
0003127006.tif 000002
【実用新案登録請求の範囲】
【請求項１】
ポール本体の先端部をＬ字状に屈曲させて垂直部と水平部を形成し、この水平部の前方部に天蓋レースを吊り下げ自在とした天蓋装置であって、前記垂直部の基部にポール自立用のベース部を形成するとともに、該ベース部にベッドの脚部を載置可能なプレート部を設け、このプレート部にベッドの脚部を載せてベース部を固定するようにしたことを特徴とする天蓋装置。
【請求項２】
ポール本体の垂直部は、複数個のパイプを連結して長さ調整可能な１本のポールである請求項１に記載の天蓋装置。
【請求項３】
ポール本体の水平部は、複数個のパイプを連結して長さ調整可能な１本のポールである請求項１または２に記載の天蓋装置。
【請求項４】
ベース部には、ポール本体の垂直部基部を挿入可能なパイプ受け入れ部が設けられている請求項１〜３のいずれかに記載の天蓋装置。
【請求項５】
天蓋レースは、中央部に吊り下げ用フックを設けたリング状の天蓋枠に下部を開放状態としたレース様のネット体を垂らしたものである請求項１〜４のいずれかに記載の天蓋装置。
【考案の詳細な説明】
【技術分野】
【０００１】
本考案は、あらゆる大きさや形状のベッドにも対応して、簡単かつ確実に天蓋レースを所定の位置にセットすることができるベッド用の天蓋装置に関するものである。
【背景技術】
【０００２】
従来から、虫や埃などの浸入を防止したり、騒音等の影響を小さくして安眠を確保する目的で天蓋装置を用いることが知られており、例えば、ベッド全体を囲うタイプのものから（特許文献１を参照）、枕元のみを囲うタイプのもの（特許文献２を参照）まで、種々の天蓋装置が提案されている。
【０００３】
しかしながら、ベッド全体を囲うタイプのものは上方部に天蓋レース移動用のレールを設ける必要があり、装置全体が大型化し高価になるという問題点があった。また、一度設置するとベッドの移動は難しく、ベッドの設置場所が固定されてしまい部屋の模様替え等が難しくなるという問題点があった。一方、枕元のみを囲うタイプのものは簡単な構造で安価であり、また自由に設置・移動ができるという利点があるものの、特定の場所に安定した状態で固定することが困難であり、使用中に転倒する等の不具合もあった。
【０００４】
特に、赤ちゃんや小さな子供用のベッドには安眠確保のために天蓋レースをセットする場合が多いが、子供の成長に応じてベッドを移動することも多くなるため、その都度天蓋レースをセットするのは面倒であり、簡単かつ確実に天蓋レースを所定の位置にセットすることができるベッド用の天蓋装置の開発が望まれていた。
【特許文献１】特開２００３−６４９０５号公報
【特許文献２】特開２００６−２６３３９号公報
【考案の開示】
【考案が解決しようとする課題】
【０００５】
本考案は上記のような問題点を解決して、いかなる大きさや形状のベッドにも対応して、天蓋レースを簡単に、かつ安全・確実に所定の位置にセットすることができる天蓋装置を提供することを目的として完成されたものである。
【課題を解決するための手段】
【０００６】
上記課題を解決するためになされた本考案の天蓋装置は、ポール本体の先端部をＬ字状に屈曲させて垂直部と水平部を形成し、この水平部の前方部に天蓋レースを吊り下げ自在とした天蓋装置であって、前記垂直部の基部にポール自立用のベース部を形成するとともに、該ベース部にベッドの脚部を載置可能なプレート部を設け、このプレート部にベッドの脚部を載せてベース部を固定するようにしたことを特徴とするものである。
【考案の効果】
【０００７】
本考案の天蓋装置では、ポール本体の垂直部の基部にポール自立用のベース部を形成するとともに、該ベース部にベッドの脚部を載置可能なプレート部を設け、このプレート部にベッドの脚部を載せてベース部を固定するようにしたので、ポール本体はベッドの重みを利用してしっかりと起立した状態が保持されることとなり、転倒の危険性がなく安全である。また、天蓋レースを吊り下げ用の専用レール等も設置する必要がなく簡単で安価な構造であり、ベッドの移動とともにどこにでも移動させることもできる。更には、いかなる大きさや形状のベッドにも対応させることが可能である。
【考案を実施するための最良の形態】
【０００８】
以下に、図面を参照しつつ本考案の好ましい実施の形態を示す。
図１は本考案の天蓋装置を子供用のベッド１０に使用した状態を示す概略斜視図であり、図１において、１はポール本体、２は天蓋レースである。前記ポール本体１は、直線状の垂直部１ａと、先端部においてＬ字状に屈曲されて水平状態にある水平部１ｂとからなり、この水平部１ｂの先端にはフック３が取り付けられていて、該フック３に天蓋レース２を吊り下げ自在とされている。
【０００９】
図２に示されるように、ポール本体１の垂直部１ａは、複数個のパイプを連結して長さ調整可能な１本のポールとされており、またポール本体１の水平部１ｂも、複数個のパイプを連結して長さ調整可能な１本のポールとされている。
これにより、ポール本体１は垂直部１ａの長さおよび水平部１ｂの長さを自由に調整できることとなり、この結果、天蓋レース２をあらゆる大きさや形状のベッドにも対応して適正な位置にセットすることが可能となる。
【００１０】
また、前記垂直部１ａの基部にはポール自立用のベース部４が形成されている。図３にベース部４の平面図、および斜視図を示すが、実施例のものではポール本体１と同様のパイプ部材で形成され水平方向に延びるほぼ四角枠状の構造物となっている。なお、ベース部４の形状を任意のものとすることができることは勿論である。
そして、ベース部４にはベッド１０の脚部１１を載置可能なプレート部５が設けられており、このプレート部５にベッド１０のいずれかの脚部１１を載せることにより、ポール本体はベッドの重みを利用してベース部５を固定するよう構成されている。この結果、ポール本体１をしっかりと起立した状態で保持できることとなる。
【００１１】
また図において、６はポール本体１の垂直部の基部を挿入するためのパイプ受け入れ部である。これにより、垂直部１ａの基部をパイプ受け入れ部６に挿入するだけで簡単に組み立てることができる。
【００１２】
前記プレート部５は、図示のものでは、ベース部４のコーナー部分の一部に設けたものとなっているが、ベース部４の四角枠状を全部覆うようなものでもよく、その形状は任意に設計することができる。
【００１３】
また、図５に天蓋レースの一例を示す。図示のものでは、中央部に吊り下げ用フック７を設けたリング状の天蓋枠８に、下部を開放状態としたレース様のネット体９を垂らしたものとなっている。なお、天蓋枠８の周縁には飾りレース９ａをつけたりすれば意匠的効果が向上し、好ましい。その他、飾りレース９ａに代えてボンボン等の飾り物やアニメ的な人形等（図示せず）を付ければ、ベッドを使用する赤ちゃんに安心感を与えて安眠効果をより高めることができ、好ましい。
【００１４】
このように構成した本考案の天蓋装置においては、ベッド１０の大きさや形状に合わせて、ポール本体１の垂直部１ａの長さおよび水平部１ｂの長さを自由に調整し、天蓋レース２をベッド使用者の枕元や体全体を覆うように適正にセットしたうえ、プレート部５にベッドの脚部１１を載せるだけでベース部４をしっかりと固定できることとなる。
【００１５】
以上の説明からも明らかなように、本考案はポール本体の先端部をＬ字状に屈曲させて垂直部と水平部を形成し、この水平部の前方部に天蓋レースを吊り下げ自在とした天蓋装置であって、前記垂直部の基部にポール自立用のベース部を形成するとともに、該ベース部にベッドの脚部を載置可能なプレート部を設け、このプレート部にベッドの脚部を載せてベース部を固定するようにした構造であるから、ポール本体はベッドの重みを利用してしっかりと起立した状態が保持されることとなり、転倒の危険性がなく安全である。また、天蓋レースを吊り下げ用の専用レール等も設置する必要がなく簡単で安価な構造であり、ベッドの移動とともにどこにでも移動させることもできる。更には、いかなる大きさや形状のベッドにも対応させることも可能となる等の種々の効果を発揮するものである
【図面の簡単な説明】
【００１６】
【図１】本考案の実施の形態を示す全体斜視図である。
【図２】ポール本体を示す正面図である。
【図３】ベース部を示す平面図である。
【図４】ベース部を示す斜視図である。
【図５】天蓋レースを示す斜視図である。
【符号の説明】
【００１７】
１  ポール本体
１ａ  垂直部
１ｂ  水平部
２  天蓋レース
３  フック
４  ベース部
５  プレート部
６  パイプ受け入れ部
７  吊り下げ用フック
８  天蓋枠
９  ネット体
１０  ベッド
１１  ベッドの脚
【図１】
0003127006.tif 000003
【図２】
0003127006.tif 000004
【図３】
0003127006.tif 000005
【図４】
0003127006.tif 000006
【図５】
0003127006.tif 000007